(57)【要約】      （修正有）【課題】より良い機械パフォーマンスで自動的に回転する他、録音、時間表示、タイマー、夜間照明などの機能を兼ね備え、使用の機能性を拡大することができるソーラーエネルギー回転地球儀を提供する。【解決手段】ソーラーエネルギー回転地球儀は、殻体１０、殻体１０を連接して設置する固定台５０を備える。殻体１０は球状を呈し、表面には世界地図１１を設置し、内部にはソーラーエネルギーモジュール２０、制御回路３０、モーターコンポーネント４０を収容設置する。殻体１０は光線を透過させ、ソーラーエネルギーモジュール２０へと照射させる光透過材質である。ソーラーエネルギーモジュール２０が光線を受取り電力を発生してモーターコンポーネント４０のモーター４１を運転させると、殻体１０とその表面の世界地図１１は、固定台５０に相対して回転作動を行う。【選択図】図２
0003160558.tif 000002
【実用新案登録請求の範囲】
【請求項１】
殻体、前記殻体内部に設置するソーラーエネルギーモジュール、制御回路、モーターコンポーネント、前記殻体を連接して設置する固定台を備え、
前記殻体は、球状を呈し、表面の周囲には、世界地図を設置し、内部には、前記ソーラーエネルギーモジュール、前記制御回路、前記モーターコンポーネントを収容設置し、しかも、前記殻体は、光線を透過させ、前記ソーラーエネルギーモジュールへと照射させる光透過材質で、
前記ソーラーエネルギーモジュールは、光エネルギーを電気エネルギーに転換して、前記制御回路と前記モーターコンポーネントの使用に供し、
前記モーターコンポーネントは少なくとも、モーター、前記モーターを前記殻体の固定板に固定し、前記固定台と連接し、前記殻体と前記殻体表面の世界地図を前記固定台に相対して回転させる伝動部品を備えることを特徴とするソーラーエネルギー回転地球儀。
【請求項２】
前記制御回路は、少なくとも使用者が入力する制御信号を回路ユニットに送る操作ユニット、制御信号を出力する回路ユニットを備えることを特徴とする請求項１に記載のソーラーエネルギー回転地球儀。
【請求項３】
前記操作ユニットは、前記殻体上のタッチ制御層に設置することを特徴とする請求項２に記載のソーラーエネルギー回転地球儀。
【請求項４】
前記操操作ユニットは、ボタンであることを特徴とする請求項２に記載のソーラーエネルギー回転地球儀。
【請求項５】
前記制御回路はさらに、電気エネルギーを貯蔵するバッテリーを備えることを特徴とする請求項１に記載のソーラーエネルギー回転地球儀。
【請求項６】
前記固定台上にはさらに、前記制御回路により制御するタイマーモジュールを設置し、前記タイマーモジュールは少なくとも、地図上の各地の時間を表示し、或いはタイマーの時間表示を行うことができる表示ユニットを備えることを特徴とする請求項５に記載のソーラーエネルギー回転地球儀。
【請求項７】
前記殻体上にはさらに、前記制御回路により制御する発光部品を設置することを特徴とする請求項５に記載のソーラーエネルギー回転地球儀。
【請求項８】
前記殻体上にはさらに、前記制御回路により制御する録音モジュールを設置することを特徴とする請求項５に記載のソーラーエネルギー回転地球儀。
【請求項９】
前記固定台は、前記固定台上に固定して設置する回転軸フレームを備え、
前記回転軸フレームは、前記伝動部品と連接して設置し、これにより前記殻体は、前記固定台において回転可能状態で設置されることを特徴とする請求項１に記載のソーラーエネルギー回転地球儀。
【請求項１０】
前記固定台は、矩形の透明カバーで前記殻体外部を覆う方式とし、
前記固定台内には、前記回転軸フレームを設置し、
前記回転軸フレームと前記伝動部品とは連接して設置し、これにより前記殻体は、前記固定台において回転可能状態で設置されることを特徴とする請求項１に記載のソーラーエネルギー回転地球儀。
【請求項１１】
前記固定台は、球形の透明カバーで前記殻体外部を覆う方式とし、
前記固定台内には、前記回転軸フレームを設置し、
前記回転軸フレームと前記伝動部品とは連接して設置し、これにより前記殻体は、前記固定台において回転可能状態で設置されることを特徴とする請求項１に記載のソーラーエネルギー回転地球儀。
【考案の詳細な説明】
【技術分野】
【０００１】
本考案は地球儀に関し、特にソーラーエネルギーモジュールにより発電し自転するソーラーエネルギー回転地球儀に関する。
【背景技術】
【０００２】
地球儀は、各地区の相対的な地理的位置を非常に容易に識別することができる器具である。従来の地球儀の構造は、ベース、ベース上に設置する回転軸フレーム、回転軸フレーム上に設置する円形の殻体を備える。殻体の表面には、世界地図のパターンを設置し、しかも殻体は、回転軸フレーム上において回転するため、使用者は殻体上の世界地図を便利に見ることができる。
上記したように、地球儀を使用する際には、地球儀を回さなければ、使用者は世界地図上の各地区の相対的位置を識別することはできない。しかし、従来の地球儀の設置方式では、自動的に回転して、使用者の閲覧と使用に供することはできない。
【０００３】
そのため、図１に示す自動的に回転する地球儀が開発された。図１に示すように、回転地球儀の構造は、ベース９９、ベース９９上に設置し、世界地図が描かれた球体９８、球体９８上に設置する第一磁石９７を備える。
ベース９９上には、モーター９６、モーター９６に作動電力を提供するソーラーエネルギー光電モジュール９５、モーター９６により駆動する第二磁石９４を設置する。第一磁石９７と第二磁石９４とは、磁力を備えるため、磁性により吸着、反発し、しかも第二磁石９４は、モーター９６により駆動され回転する。よって、第一磁石９７との磁性作用により、第一磁石９７の回転を連動し、これにより球体９８と世界地図との回転を連動する。
【０００４】
上記した従来の回転地球儀は、自主回転の機能を備えるため、使用者は便利に地図を閲覧することができる。しかし、回転地球儀は磁力作用を利用し、球体９８の回転を連動する方式であるため、その機械パフォーマンスは比較的低く、エネルギー消耗が速い。しかも、ベース９９は比較的大きな体積に設計しなければ、モーター９６をベース９９内に設置することはできず、かつ外表面にはソーラーエネルギー光電モジュール９５を設置するため、使用に便利な体積と重量とは言えず、製造においては、使用材料が多過ぎるという問題があった。
【０００５】
さらに通常、机上或いは棚の上に設置される回転地球儀は、一定の空間を占拠するが、それにもかかわらず、回転地球儀には世界地図を見るという用途しかない。つまり、世界地図上の各地区の相対的位置を見るためだけにしか使用効果がないのでは、非常に惜しい。
よって、回転地球儀が、時間などを表示するなど他の機能をも兼ね備え、回転地球儀が多機能の使用性能を備えたなら、市場競争力は格段に向上することは疑いがない。
【考案の概要】
【考案が解決しようとする課題】
【０００６】
本考案の目的は、自主的に回転し、地球儀を便利に使用して、その上の世界地図を見ることができ、録音、時間表示、タイマー、夜間照明などの多機能を兼ね備え、従来の回転地球儀の機械パフォーマンスが低く、タイムゾーン毎の時間を示すことができないなど、機能が単一であった欠点を改善することができるソーラーエネルギー回転地球儀を提供することである。
【課題を解決するための手段】
【０００７】
上述の目的を達成するため、本考案は下記のソーラーエネルギー回転地球儀を提供する。
ソーラーエネルギー回転地球儀は、殻体、該殻体内部に設置するソーラーエネルギーモジュール、制御回路、モーターコンポーネント、該殻体を連接して設置する固定台を備え、該殻体は、球状を呈し、表面の周囲には、世界地図を設置し、内部には、該ソーラーエネルギーモジュール、該制御回路、該モーターコンポーネントを収容設置し、しかも、該殻体は、光透過材質で、光線は該殻体を透過して、該殻体内部の該ソーラーエネルギーモジュールへと照射し、該ソーラーエネルギーモジュールは、光エネルギーを電気エネルギーに転換して、該制御回路と該モーターコンポーネントの使用に供し、該モーターコンポーネントは少なくとも、モーター、該モーターを該殻体に固定する固定板、該固定台と連接して設置する伝動部品を備える。
該固定台は机上に置くことができ、しかも該固定台は、該殻体を連接して設置する時、該殻体は、該固定台に相対して回転作動を行い、その作動関係は以下の通りで、該ソーラーエネルギーモジュールが、該モーターコンポーネントと該制御回路に、作動に必要な電気エネルギーを提供し、該制御回路は該モーターを制御して運転を作動する時、該モーターは該殻体内に固定し、しかも該伝動部品と該固定台とは、連接して設置され、よって、該殻体は、該固定台に相対して回転し、こうして、使用者が該殻体表面の世界地図を便利に見ることができるという機能を達成することができる他、その伝動方式の機械パフォーマンスも相対的に高く、より高い使用機能を備える。
【０００８】
以下に、各構成部材の実施例に対して、さらに説明する。
該殻体は、半円殻状の上殻と下殻により組成し、該上、下殻内部には、収容設置空間を形成し、該ソーラーエネルギーモジュール、該制御回路、該モーターコンポーネントを収容設置し、さらに、本考案実施時には、使用者の操作の便のために、該制御回路は、操作ユニット、回路ユニットを備える。
該操作ユニットは、使用者が入力する制御信号を該回路ユニットに送り、該回路ユニットが演算後、制御信号を出力し、該モーターコンポーネントに送り、それを作動させ、該操作ユニットの実施時には、該殻体のタッチ制御層に設置し、或いはボタンを操作するなどの使用者にとって便利な実施方式とすることができ、該制御回路の実施時には、さらにバッテリーを備えることができ、該バッテリーは、該ソーラーエネルギーモジュールの余分な電気エネルギーを貯蔵し、該モーターコンポーネントと該制御回路の作動時に、必要な電力を十分に確保する。
該固定台は、該固定台上に固定して設置する回転軸フレームを備え、該回転軸フレームは、該殻体と該モーターコンポーネントの伝動部品を貫通し、連接して設置し、これにより該伝動部品と該回転軸フレームとは、相互に連接して設置され、実施時には、該殻体には、該回転軸フレームと該伝動部品との連接設置に対応して、穿孔を開設する。
本考案使用時の機能性を拡大させるため、該固定台上にはさらに、該制御回路により制御するタイマーモジュールを設置することができ、該タイマーモジュールは実施には、少なくとも１個の表示ユニットを備え、しかも使用者は、該操作ユニットにより、制御信号を回路ユニットに入力することができ、該回路ユニットは、該制御信号を表示ユニットに伝送し、該表示ユニットは、地図上の各地の時間を表示し、或いはタイマーの時間表示を行うことができる。
該固定台の外形は、多種の実施方式が可能で、例えば、該固定台は、矩形の透明カバーで殻体外部を覆う方式とし、該固定台内には、該回転軸フレームを設置して、該殻体を回転可能状態で設置することができ、或いは、該固定台は、球形の透明カバーで殻体外部を覆う方式とし、該固定台内には、該回転軸フレームを設置して、該殻体を回転可能状態で設置することができる。
本考案に夜間照明機能を持たせるために、該殻体の実施時にはさらに、該殻体上に、該ソーラーエネルギーモジュールと相互に通電する発光部品を設置することができ、該発光部品は、該制御回路により制御され、該発光部品の実施時には、LEDなどの省エネ発光部品とすることができる。
本考案の使用機能を拡大するため、本考案に録音機能を持たせることができ、この際には、該殻体の実施時にさらに、該殻体に、該ソーラーエネルギーモジュールと相互に通電する録音モジュールを設置し、該録音モジュールは、該制御回路により制御され、録音の目的を達成することができる。
【考案の効果】
【０００９】
本考案ソーラーエネルギー回転地球儀は、より良い機械パフォーマンスで自動的に回転する他、録音、時間表示、タイマー、夜間照明などの機能を兼ね備え、使用の機能性を拡大することができる。
【図面の簡単な説明】
【００１０】
【図１】従来の回転地球儀の表示図である。
【図２】本考案の立体分解図である。
【図３】本考案の立体外観図である。
【図４】使用者が操作ユニットに触り、表示ユニットが地図上の現地時間を表示する様子を示す立体外観表示図である。
【図５】固定台が柱体である様子を示す立体外観表示図である。
【図６】固定台が球体である様子を示す立体外観表示図である。
【図７】発光ユニットが発光して夜間照明となる様子を示す立体外観表示図である。
【図８】録音モジュール設置位置を示す立体外観表示図である。
【考案を実施するための形態】
【００１１】
図２、３に示すように、本考案ソーラーエネルギー回転地球儀は、殻体１０、殻体１０内部に設置するソーラーエネルギーモジュール２０、制御回路３０、モーターコンポーネント４０、殻体１０を連接して設置する固定台５０を備える。
殻体１０は、球状を呈し、表面の周囲には、世界地図１１を設置し、内部には、ソーラーエネルギーモジュール２０、制御回路３０、モーターコンポーネント４０を収容設置する。しかも、殻体１０は、光透過材質で、光線は殻体１０を透過して、殻体１０内部のソーラーエネルギーモジュール２０へと照射する。ソーラーエネルギーモジュール２０は、光エネルギーを電気エネルギーに転換して、制御回路３０とモーターコンポーネント４０の使用に供する。モーターコンポーネント４０は少なくとも、モーター４１、モーター４１を殻体１０の固定板４２に固定し、固定台５０と連接して設置する伝動部品４３を備える。
【００１２】
固定台５０は、机上に固定して、置くことができる。しかも、固定台５０に殻体１０を連接して設置すると、殻体１０は、固定台５０に相対して回転作動を行う。その作動関係を以下に説明する。ソーラーエネルギーモジュール２０が、モーターコンポーネント４０と制御回路３０に、作動に必要な電気エネルギーを提供し、制御回路３０は、モーター４１を制御して運転を作動する時、モーター４１は、殻体１０内に固定し、しかも伝動部品４３と固定台５０とは、連接して設置される。よって、モーター４１が運転を開始すると、殻体１０は、固定台５０に相対して回転する。こうして、使用者が殻体１０表面の世界地図１１を便利に見ることができるという機能を達成することができる他、その伝動方式の機械パフォーマンスも相対的に高く、より高い使用機能を備える。
【００１３】
以下に、各構成部材の実施例に対して、さらに説明を加える。
殻体１０は、半円殻状の上殻１２と下殻１３により組成する。上、下殻１２、１３内部には、収容設置空間を形成し、ソーラーエネルギーモジュール２０、制御回路３０、モーターコンポーネント４０を収容設置する。
さらに、本考案実施時には、使用者の操作の便のために、制御回路３０は、操作ユニット、回路ユニット３２を備える。操作ユニット３１は、使用者が入力する制御信号を回路ユニット３２に送り、回路ユニット３２が演算後、制御信号を出力し、モーターコンポーネント４０に送り、それを作動させる。操作ユニット３１は、実施時には、殻体１０のタッチ制御層に設置し、或いはボタンを操作する(図４参照)などの使用者にとって便利な実施方式とすることができる。
【００１４】
図２、３に示すように、制御回路３０の実施時には、さらにバッテリー３３を備えることができる。バッテリー３３は、ソーラーエネルギーモジュール２０の余分な電気エネルギーを貯蔵し、モーターコンポーネント４０と制御回路３０の作動時に、必要な電力を十分に確保する。固定台５０は、固定台５０上に固定して設置する回転軸フレーム５１を備える。回転軸フレーム５１は、殻体１０とモーターコンポーネント４０の伝動部品４３を貫通し、連接して設置する。これにより、殻体１０は、固定台５０において回転可能状態で設置され、伝動部品４３と回転軸フレーム５１とは、相互に連接して設置される。実施時には、殻体１０には、回転軸フレーム５１と伝動部品４３との連接設置に対応して、穿孔を開設する。
【００１５】
図２、４に示すように、本考案使用時の機能性を拡大させるため、固定台５０上にはさらに、制御回路３０により制御するタイマーモジュール５２を設置することができる。タイマーモジュール５２は実施には、少なくとも１個の表示ユニット５２１を備え、しかも使用者は、操作ユニット３１により、制御信号を回路ユニット３２に入力することができる。回路ユニット３２は、制御信号を表示ユニット５２１に伝送し、表示ユニット５２１は、地図上の各地の時間を表示し、或いはタイマーの時間表示を行うことができる。
【００１６】
固定台５０の外形は、多種の実施方式が可能である。例えば図５に示すように、固定台５０は、矩形の透明カバーで殻体１０外部を覆う方式とし、固定台５０内には、回転軸フレーム５１を設置して、殻体１０を回転可能状態で設置することができる。或いは、図６に示すように、固定台５０は、球形の透明カバーで殻体１０外部を覆う方式とし、固定台５０内には、回転軸フレーム５１を設置して、殻体１０を回転可能状態で設置することができる。
【００１７】
図２、７に示すように、本考案に夜間照明機能を持たせるために、殻体１０の実施時にはさらに、殻体１０上に、ソーラーエネルギーモジュール２０と相互に通電する発光部品６０を設置することができる。発光部品６０は、制御回路３０により制御され、発光部品６０の実施時には、LEDなどの省エネ発光部品６０とすることができる。
【００１８】
図２、８に示すように、本考案の使用機能を拡大するため、本考案に録音機能を持たせることができる。この際には、殻体１０の実施時にさらに、殻体１０に、ソーラーエネルギーモジュール２０と相互に通電する録音モジュール７０を設置する。録音モジュール７０は、制御回路３０により制御され、録音の目的を達成することができる。
【符号の説明】
【００１９】
１０  殻体
１１  世界地図
１２  上殻
１３  下殻
１４  穿孔
２０  ソーラーエネルギーモジュール
３０  制御回路
３１  操作ユニット
３２  回路ユニット
３３  バッテリー
４０  モーターコンポーネント
４１  モーター
４２  固定板
４３  伝動部品
５０  固定台
５１  回転軸フレーム
５２  タイマーモジュール
５２１  表示ユニット
６０  発光部品
７０  録音モジュール
【図１】
0003160558.tif 000003
【図２】
0003160558.tif 000004
【図３】
0003160558.tif 000005
【図４】
0003160558.tif 000006
【図５】
0003160558.tif 000007
【図６】
0003160558.tif 000008
【図７】
0003160558.tif 000009
【図８】
0003160558.tif 000010
【手続補正書】
【提出日】平成22年4月20日(2010.4.20)
【手続補正１】
【補正対象書類名】実用新案登録請求の範囲
【補正対象項目名】請求項４
【補正方法】変更
【補正の内容】
【請求項４】
前記操作ユニットは、ボタンであることを特徴とする請求項２に記載のソーラーエネルギー回転地球儀。
【手続補正２】
【補正対象書類名】実用新案登録請求の範囲
【補正対象項目名】請求項１０
【補正方法】変更
【補正の内容】
【請求項１０】
前記固定台は、矩形の透明カバーで前記殻体外部を覆う方式とし、
前記固定台内には、回転軸フレームを設置し、
前記回転軸フレームと前記伝動部品とは連接して設置し、これにより前記殻体は、前記固定台において回転可能状態で設置されることを特徴とする請求項１に記載のソーラーエネルギー回転地球儀。
【手続補正３】
【補正対象書類名】実用新案登録請求の範囲
【補正対象項目名】請求項１１
【補正方法】変更
【補正の内容】
【請求項１１】
前記固定台は、球形の透明カバーで前記殻体外部を覆う方式とし、
前記固定台内には、回転軸フレームを設置し、
前記回転軸フレームと前記伝動部品とは連接して設置し、これにより前記殻体は、前記固定台において回転可能状態で設置されることを特徴とする請求項１に記載のソーラーエネルギー回転地球儀。